(57)【要約】【課題】  従来の鉄や木材等の剛体によるいすは重量があり、老人や婦女子にとって負担となっていた運搬の不便や、剛体いすのクッション性の悪さを改良し、且つ又剛体では製作に時間とコストを要した点を改善し、軽量な紙材を用いて軽量でしかも強度のあるいすを得ることである。【解決手段】  紙材からなる荷重を負担する支持部、クッション性を有する紙材のバネ折構造の座部を備えたいすであって、前記バネ折構造を備えた座部は、その座部内に副座部を収納して、更にクッション性をより増すと共に、補強のための梁を支持部内は備えて、荷重に一層耐えるように構成される。又紙材として強度のあるダンボールを使用しリサイクルとして古紙回収されているものの有効活用を図る。【選択図】  図１２
2005261699.tif 000002
【特許請求の範囲】
【請求項１】
紙材からなる荷重を負担する支持部、クッション性を有する紙材のバネ折構造の座部を備えたいす。
【請求項２】
前記バネ折構造を備えた座部は、その座部内に副座部を収納してあることを特徴とする請求項１記載のいす。
【請求項３】
前記支持部には、補強のための梁構造を備えていることを特徴とする請求項１又は２記載のいす。
【請求項４】
紙材からなる荷重を負担する支持部、該支持部と一体の紙材からなるクッション性を有する紙材のバネ折構造の座部を備えたいす。
【請求項５】
ダンボールの紙材より形成され荷重を負担する支持部、クッション性を有するダンボール紙材から形成せれるバネ折構造の座部を備えたいす。
【請求項６】
前記支持部におけるダンボールの配置はフルート構造の波型を垂直方向に置くようにしたことを特徴とする請求項５記載のいす。
【発明の詳細な説明】
【技術分野】
【０００１】
本発明は、いすの構造に関し、とくに軽量で強度がありしかもクッション性のあるいすの構造に関するものである。
【背景技術】
【０００２】
従来いすの構造は頑丈で且つ重量があり、その材質も木材を初め鉄材やアルミなどの剛体が使用されてきた。そのために、運搬や持ち運びにはわりと負担がかかり、老人や婦女子にとっては、案外とこれは容易ではなかった。とくに気楽に好きな場所にいすを持って行きたい場合には、これは困難なことであった。
【０００３】
しかも、その構造上製作や組み立てに時間がかかり、製作費や製作時間を要し結局１個あたりのコストも高くなる問題点もあった。
更には、家庭内で使用するときは、部屋の広さが十分でない為に、：転んだりまたはぶつかったりして、いすにつまずいて怪我をすることも少なくなかった。特に、このような場合に、従来のいすの構造では、木材や金属製等の為に、ぶつかると怪我の恐れがあり、そのために注意が常時必要であった。
【０００４】
一方で紙製のいすは従来考えられてきたが、その構造は折畳んで組み当てる形式のものが多く、従って、単に箱ものの延長線上の域を出ず、強度も弱く臨時用か携帯型のものであった。
【特許文献１】特開平１１−３２８６２号公報
【特許文献２】特開平１１−１８７９５１号公報
【特許文献３】特開平６−２３７８３２号公報
【特許文献４】登録実用新案第３０５４４６４号
【発明の開示】
【発明が解決しようとする課題】
【０００５】
解決しようとする問題点は、従来のいすの構造を根本から変更して、前期問題点を解消することにある。
【０００６】
本発明は、ダンボール等の紙製品によって簡易にして強度も有し且つ軽量ないすを得ることを最も主要な特徴とし、前記課題を解決するために、紙材からなる荷重を負担する支持部、クッション性を有する紙材のバネ折構造の座部を備えたいすを提供する。
【０００７】
更に、前記バネ折構造を備えた座部は、その座部内に副座部を収納してあるもので、これによって更にクッション性を向上させるものである。
【０００８】
又、前記支持部には、補強のための梁を備えており、人の荷重により耐えるようにし、又一層強度を増すために、前記補強のための梁を、箱体内に収納し、支持部に収納するのである。
【０００９】
更に、紙材としてダンボールを使用し、該紙材からなる荷重を負担する支持部、クッション性を有する該ダンボール紙材によりバネ折構造の座部を備えたいすであって、ダンボールの構成により強度のあるいすを提供し、しかもリサイクルで回収される古紙のダンボールの有効活用に役立つものである。
【００１０】
紙材からなる荷重を負担する支持部、該支持部と一体の紙材からなるクッション性を有する紙材のバネ折構造の座部を備えたいすであって、支持部及び座部は一体の紙材から形成されているので、構造は簡単で強度も強いものとなる。
【００１１】
前記支持部におけるダンボールの配置はフルート構造の波型を垂直方向に置くことで荷重に対して強度のある構造とすることができる。
【発明の効果】
【００１２】
本発明にいすは、素材としてダンボール等の紙製品を使用していすを構成するので軽量であり且つ強度のある物が得られるという利点がある。
更には、本発明のいすは、どこにでもあるダンボールやその廃材等を使用して誰にでも組み立てられるものであるので費用の点でも大幅なコスト低減となる。又、紙製であるので、老人や幼児のいる家庭でも安心して仕様することができる利点がある。
【００１３】
しかも本発明は、紙によるためクッション性が十分にあり、すわり心地も良好である。しかも不使用時は紙製品の柔らかさからくるインテリアとしての機能も有している。
【発明を実施するための最良の形態】
【００１４】
ダンボール等の紙製品を使用して以下のようないすを簡易に実現した。
【実施例１】
【００１５】
図１は、本発明装置のいすの１実施例の平面及び正面図であって、主に角部を折畳まれたいすの座部２といす１の支持部３とからなっている。
座部２は紙材を箱体として、クッション性を有するバネ状に折ったもので（以下バネ折構造という）、このばね折構造により衝撃を吸収して、快適な座り心地を保障する。一方支持部３は、人の荷重にたいして耐える機能を有する。
【００１６】
材料としては、原料の殆どが古紙から再利用されているダンボールが好ましいものの一つとして挙げられる。特に、１９９５年の「容器包装リサイクル法」で独自のリサイクルシステムが確立されていると認められ再商品化義務が免状されている程である。
又、ダンボールの構造は、その内部が詰まっていないフルート構造（図３参照）なので、軽量であり、より一層強度が増すことになる。即ち、ダンボールの構造は、紙と紙との空間に、波状のフルートが設けられており、強度も単なる紙シートより強いのが特徴である。
【００１７】
バネ折構造の座部２の製作の仕方は、強度とクッション性を増すためのものであるが、座部２は、ダンボールを箱型にしたものである。図に示すように、座部２は、クッション性を有しており、人が座るときには、衝撃を吸収し、且つ静座時には、座り心地を良好とする機能を有する。
【００１８】
その部分は人が座る座部２であるが、上部だけでなく、図２に示すように、床に接する底部にも幾つか座部２０を設けておけば、衝撃吸収のより好ましいものとすることもできるのが分かる。
【００１９】
なお、図１又は図２に示す平面図が重なって見えるのは、次の実施例の項で説明するように、幾つかの類似の形状である座部２を中に順位入れて行くために見えている状態を示すが、勿論、本実施例においては、単に一つの座部２のみによって構成することができる。
【００２０】
このバネ折構造の座部２の形成方法は、図３に示すように、折り線を付ける作業を行う。
又、ダンボール１００の構造は、紙１０１、１０１間に空間には、フルート構造１１０となっており、波型の紙が空間内に入って強化している。
そこで、フルート構造の配置では該波型を垂直方向に置くことで荷重により耐える構造とすることができる（図３のＡ−Ａ断面参照）。
そして、図４に示すような折り線を付ける。図５に示すように、両端から内側に曲げて、図６に示すように箱型にし、のり代１２０に糊又は両面テープを貼って完成する。次いで、図７に示すように、角部分１３０を箱の内側に向けて折り曲げて、図８に示すようにし、図９をもって完成する。
以上が、座部２の成型方法であるがその他の変形も可能である。
完成したいすは、図１０に示すように必要に応じて、軽量のため簡単に持ち運びでき使用できる。
【００２１】
このようにして形成された座部２は、垂直方向に伸縮しクッション機能を有することになる。従って、本発明のいすは、特別の材料を要せず、ありふれ且つ入手し易い材料をもって、簡単に製作し組み立てることができる。
【実施例２】
【００２２】
以上の他、更に、図１１に示すように、座部２を十分に取って大型化すれば一段とクッション性の良好ないすを形成することも可能となるのがわかる。
この実施例は、いすの規模を拡大して、ソファー状としたものである。
座部２には、図１２に示すように、同じように形成された幾つかの座部２を一辺の長さを変えて、縮小した寸法として、順次複数個各中に設けて収めてある。この場合には、更に強度とクッション性を増すことが理解される。
【００２３】
即ち、座部２の中に、類似の副座部２１を挿入し、更に、副座部２１０を、先の副座部２１内へ納めるのである。このようにすれば一層強度を増すことができる。副座部２の寸法はその一辺の長さを変えて、縮小した寸法として、幾つか設けて中に収めるものである。従って、平面図では、それら複数の座部と副座部とが入っているので、そのように見えている。
座部２に対して、又、副座部２１の位置（角部）を該座部２の角部と一致させず、平面図でずらして、配置すれば、クッションを平均化させることもできる。
この点は、図１４に示すように、複数個の座部により、いすとしてもソファーのように更にクッション性を増すことと同時に強度もよりますことが出来る。
【００２４】
なお、副座部２１等の挿入により、補強する構成は、先の実施例１においても適用可能であることは言うまでもない。
【００２５】
本実施例では、座部２と支持部３とは、別体でもよいが、この場合では一つの紙材によって一体に形成されており、その上部が座部２として形成され折畳まれている。従って、この場合は、一枚のダンボールから製作できるので、製作はより容易でもあり又一体成型であるので強度も十分にある。
【００２６】
なお、支持部と座部を別体で形成した場合には、適当な糊しろを縁部に作り、接着か両面テープで接合することで簡単に形成できる。
【００２７】
更に、支持部３の側面では、ダンボールのフルートが垂直方向に対して平行となるようにしてあれば、荷重に対して強くなるのであるが、又その外、支持部３の内部に、図１２に示すように、断面が正方形で長方形の箱体４を挿入すれば一層強度がますことになる。又更に、断面が正方形の中に更に、Ｘ字型の梁を挿入して補強すれば一層で強化されるのが理解される。
【００２８】
内挿された箱体４の中の梁５は、例えば、箱４の対角線上に、梁体５０、５１を通す。梁体５０、５１には、溝５０１、５０１があって、お互いに図１２に示すように溝へ挿入して組み立てる。梁によって、箱体４は一段と強度が増すので、実験の結果、７０ｋｇ以上の人に対しても十分に耐えることが可能となり、大人でも使用できるものとなった。又、断面を正方形とすると、製作は容易で且つ強度も維持し易いが、その外、断面が矩形であって形成することはできる。針の構造は、Ｘ型の外、各種のものが考えられ、梁５の数を増加させることもできる。
【００２９】
なお、箱体４は、通常の箱のように、周囲を囲む側壁４０の他、底部４１と蓋部４２を備えておけば、更に強度が増すことが理解される。
【００３０】
勿論、支持部３の内部に直接梁を挿入して強度を増すことも可能であり、その時には、強度を増すために梁の数を順次増やすことも考えられる。
この補強の梁は、勿論実施例１においても適用できることは勿論である。
【００３１】
以上述べてきたように、上記実施例では、ダンボール紙を使って説明したが、その他の紙材でも可能であるのは勿論である。
このように、本発明は、ありふれた素材の紙を使って、実用上も他の剛体のいすに比べ強度上も満足のいくいすが、簡単に製作することが出来る構成となっており、その他上記実施例に限定されず、当業者によって本発明の技術思想内において種々の変形が可能となる。
【図面の簡単な説明】
【００３２】
【図１】本発明の一実施例であるいすの平面図及び正面図である（実施例１）。
【図２】上記実施例の変形例の平面図及ぶ正面図。
【図３】本発明に適用される座部の成型方法に関する説明図であって、ダンボール紙に折り線を描いた状況を示す。
【図４】上記ダンボール紙に糊しろの線に沿って折る作業をする状況を示す。
【図５】上記ダンボール紙の両端を曲げて箱型にする状況を示す。
【図６】上記作業により箱型となった状況を示す。
【図７】次いで、座部となる部分を折り線に沿って曲げる部分を示す。
【図８】上記作業をしている状況を示す。
【図９】上記作業を完成し座部となる状況を示す。
【図１０】本発明の実施例１のいすの使用状況を示す。
【図１１】本発明の他の実施例を示す（実施例２）。
【図１２】本発明の他の実施例の詳細を示す。
【図１３】上記実施例の完成図を示す。
【図１４】本発明の他の実施例のいすの使用例を示す。
【符号の説明】
【００３３】
１        いす
２        座部
２１      副座部
２１０    副座部
３        支持部
４        箱体
５        梁
【図１】
2005261699.tif 000003
【図２】
2005261699.tif 000004
【図３】
2005261699.tif 000005
【図４】
2005261699.tif 000006
【図５】
2005261699.tif 000007
【図６】
2005261699.tif 000008
【図７】
2005261699.tif 000009
【図８】
2005261699.tif 000010
【図９】
2005261699.tif 000011
【図１０】
2005261699.tif 000012
【図１１】
2005261699.tif 000013
【図１２】
2005261699.tif 000014
【図１３】
2005261699.tif 000015
【図１４】
2005261699.tif 000016